【手続補正書】
【提出日】平成17年10月27日(2005.10.27)
【手続補正１】
【補正対象書類名】明細書
【補正対象項目名】発明の名称
【補正方法】変更
【補正の内容】
【発明の名称】画像処理装置、画像処理システム及びその制御方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードを有する画像処理装置であって、
前記複数の処理モードの中から所望の処理モードを、操作手段を介して、ユーザにより選択可能にする、制御手段を有し、
前記制御手段は、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせる、ことを特徴とする画像処理装置。
【請求項２】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードを有する画像処理装置であって、
前記複数の処理モードの中から所望の処理モードを、操作手段を介して、ユーザにより選択可能にする、制御手段を有し、
前記制御手段は、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせ、一方、
前記複数の処理モードのうちの前記第２モードが前記操作手段を介してユーザにより選択された場合は、前記第１モードを自動的に有効状態にさせることなく、前記第２モードを有効状態にさせる、ことを特徴とする画像処理装置。
【請求項３】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードを有する画像処理装置であって、
前記複数の処理モードのうちの何れかの処理モードを、操作手段を介して、ユーザにより選択可能にする、制御手段を有し、
前記制御手段は、
前記複数の処理モードのうちの前記第１モードが前記操作手段を介してユーザにより選択された場合に、前記操作手段を介して前記第２モードがユーザにより選択されたか否かに関係なく、処理対象のドキュメントデータの為に、前記第１モードの動作と前記第２モードの動作の両動作を、前記画像処理装置により、実行可能にする、ことを特徴とする画像処理装置。
【請求項４】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードを有する画像処理装置であって、
前記複数の処理モードのうちの何れかの処理モードを、操作手段を介して、ユーザにより選択可能にする、制御手段を有し、
前記制御手段は、
前記複数の処理モードのうちの前記第１モードが前記操作手段を介してユーザにより選択された場合に、前記操作手段を介して前記第２モードがユーザにより選択されたか否かに関係なく、処理対象のドキュメントデータの為に、前記第１モードの動作と前記第２モードの動作の両動作を、前記画像処理装置により、実行可能にし、一方、
前記複数の処理モードのうちの前記第２モードが前記操作手段を介してユーザにより選択された場合に、処理対象のドキュメントデータの為に、前記操作手段における前記第１モードのユーザ選択無しに前記第１モードの動作が前記画像処理装置により実行されることなく、前記第２モードの動作を、前記画像処理装置により、実行可能にする、ことを特徴とする画像処理装置。
【請求項５】  処理対象となるドキュメントデータの頁番号情報の印刷を印刷手段により実行可能にする第１モードと、複数枚の原稿を連続給送可能な自動原稿給送手段からの原稿の読取処理を実行可能であり且つ原稿台に対してユーザによりセットされた原稿の読取処理も実行可能な原稿読取手段により複数回の読取動作を経て入力された互いに独立した複数のドキュメントデータを１つのドキュメントデータとして処理させる第２モードを含む、複数の処理モードを有する画像処理装置であって、
前記複数の処理モードのうちの何れかの処理モードを、操作手段を介して、ユーザにより選択可能にする、制御手段を有し、
前記制御手段は、
前記第１モードが前記操作手段を介してユーザにより選択され、且つ、前記原稿台に対してユーザによりセットされた原稿の読取処理を前記原稿読取手段により実行する場合、及び、
前記第１モードが前記操作手段を介してユーザにより選択され、且つ、前記自動原稿給送手段により複数枚の原稿を連続給送する場合、及び、
前記第１モードが前記操作手段を介してユーザにより選択され、且つ、前記自動原稿給送手段により原稿を１枚給送する場合、のうちの、
前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により原稿を１枚給送する場合の、少なくとも、何れかの場合に、
前記操作手段にて前記第１モードと共に前記第２モードをユーザが選択することなく、処理対象のドキュメントデータの為に、前記第１モードの動作と前記第２モードの動作の両動作を、前記画像処理装置により、実行可能にする、ことを特徴とする画像処理装置。
【請求項６】  処理対象となるドキュメントデータの頁番号情報の印刷を印刷手段により実行可能にする第１モードと、複数枚の原稿を連続給送可能な自動原稿給送手段からの原稿の読取処理を実行可能であり且つ原稿台に対してユーザによりセットされた原稿の読取処理も実行可能な原稿読取手段により複数回の読取動作を経て入力された互いに独立した複数のドキュメントデータを１つのドキュメントデータとして処理させる第２モードを含む、複数の処理モードを有する画像処理装置であって、
前記複数の処理モードのうちの何れかの処理モードを、操作手段を介して、ユーザにより選択可能にする、制御手段を有し、
前記制御手段は、
前記第１モードが前記操作手段を介してユーザにより選択され、且つ、前記原稿台に対してユーザによりセットされた原稿の読取処理を前記原稿読取手段により実行する場合、及び、
前記第１モードが前記操作手段を介してユーザにより選択され、且つ、前記自動原稿給送手段により複数枚の原稿を連続給送する場合、及び、
前記第１モードが前記操作手段を介してユーザにより選択され、且つ、前記自動原稿給送手段により原稿を１枚給送する場合、のうちの、
前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により原稿を１枚給送する場合の、少なくとも、何れかの場合に、前記操作手段にて前記第１モードと共に前記第２モードをユーザが選択することなく、処理対象のドキュメントデータの為に、前記第１モードの動作と前記第２モードの動作の両動作を、前記画像処理装置により、実行可能にし、一方、
前記第１モードが前記操作手段を介してユーザにより選択され、且つ、前記自動原稿給送手段により複数枚の原稿を連続給送する場合に、処理対象のドキュメントデータの為に、前記操作手段における前記第２モードのユーザ選択無しに前記第２モードの動作を前記画像処理装置により実行させることなく、前記第１モードの動作を、前記画像処理装置により、実行可能にする、ことを特徴とする画像処理装置。
【請求項７】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にした、画像処理システムにおける制御方法であって、
前記複数の処理モードの中から所望の処理モードを、操作手段を介して、ユーザにより選択可能にし、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせる、ことを特徴とする制御方法。
【請求項８】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にした、画像処理システムにおける制御方法であって、
前記複数の処理モードの中から所望の処理モードを、操作手段を介して、ユーザにより選択可能にし、
前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせ、一方、
前記複数の処理モードのうちの前記第２モードが前記操作手段を介してユーザにより選択された場合は、前記第１モードを自動的に有効状態にさせることなく、前記第２モードを有効状態にさせる、ことを特徴とすることを特徴とする制御方法。
【請求項９】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にした、画像処理システムにおける制御方法であって、
前記複数の処理モードのうちの何れかの処理モードを、操作手段を介して、ユーザにより選択可能にし、
前記複数の処理モードのうちの前記第１モードが前記操作手段を介してユーザにより選択された場合に、前記操作手段を介して前記第２モードがユーザにより選択されたか否かに関係なく、処理対象のドキュメントデータの為に、前記第１モードの動作と前記第２モードの動作の両動作を、前記画像処理装置により、実行可能にする、ことを特徴とする制御方法。
【請求項１０】  処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にした、画像処理システムにおける制御方法であって、
前記複数の処理モードのうちの何れかの処理モードを、操作手段を介して、ユーザにより選択可能にし、
前記複数の処理モードのうちの前記第１モードが前記操作手段を介してユーザにより選択された場合に、前記操作手段を介して前記第２モードがユーザにより選択されたか否かに関係なく、処理対象のドキュメントデータの為に、前記第１モードの動作と前記第２モードの動作の両動作を、前記画像処理装置により、実行可能にし、一方、
前記複数の処理モードのうちの前記第２モードが前記操作手段を介してユーザにより選択された場合に、処理対象のドキュメントデータの為に、前記操作手段における前記第１モードのユーザ選択無しに前記第１モードの動作が前記画像処理装置により実行されることなく、前記第２モードの動作を、前記画像処理装置により、実行可能にする、ことを特徴とする制御方法。
【請求項１１】  処理対象となるドキュメントデータの頁番号情報の印刷を印刷手段により実行可能にする第１モードと、複数枚の原稿を連続給送可能な自動原稿給送手段からの原稿の読取処理を実行可能であり且つ原稿台に対してユーザによりセットされた原稿の読取処理も実行可能な原稿読取手段により複数回の読取動作を経て入力された互いに独立した複数のドキュメントデータを１つのドキュメントデータとして処理させる第２モードを含む、複数の処理モードのうちの、何れかのモードの動作を画像処理装置により実行可能にした、画像処理システムにおける制御方法であって、
前記複数の処理モードのうちの何れかの処理モードを、操作手段を介して、ユーザにより選択可能にし、
前記第１モードが前記操作手段を介してユーザにより選択され、且つ、前記原稿台に対してユーザによりセットされた原稿の読取処理を前記原稿読取手段により実行する場合、及び、
前記第１モードが前記操作手段を介してユーザにより選択され、且つ、前記自動原稿給送手段により複数枚の原稿を連続給送する場合、及び、
前記第１モードが前記操作手段を介してユーザにより選択され、且つ、前記自動原稿給送手段により原稿を１枚給送する場合、のうちの、
前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により原稿を１枚給送する場合の、少なくとも、何れかの場合に、
前記操作手段にて前記第１モードと共に前記第２モードをユーザが選択することなく、処理対象のドキュメントデータの為に、前記第１モードの動作と前記第２モードの動作の両動作を、前記画像処理装置により、実行可能にする、ことを特徴とする制御方法。
【請求項１２】  処理対象となるドキュメントデータの頁番号情報の印刷を印刷手段により実行可能にする第１モードと、複数枚の原稿を連続給送可能な自動原稿給送手段からの原稿の読取処理を実行可能であり且つ原稿台に対してユーザによりセットされた原稿の読取処理も実行可能な原稿読取手段により複数回の読取動作を経て入力された互いに独立した複数のドキュメントデータを１つのドキュメントデータとして処理させる第２モードを含む、複数の処理モードのうちの、何れかのモードの動作を画像処理装置により実行可能にした、画像処理システムにおける制御方法であって、
前記複数の処理モードのうちの何れかの処理モードを、操作手段を介して、ユーザにより選択可能にし、
前記第１モードが前記操作手段を介してユーザにより選択され、且つ、前記原稿台に対してユーザによりセットされた原稿の読取処理を前記原稿読取手段により実行する場合、及び、
前記第１モードが前記操作手段を介してユーザにより選択され、且つ、前記自動原稿給送手段により複数枚の原稿を連続給送する場合、及び、
前記第１モードが前記操作手段を介してユーザにより選択され、且つ、前記自動原稿給送手段により原稿を１枚給送する場合、のうちの、
前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により原稿を１枚給送する場合の、少なくとも、何れかの場合に、前記操作手段にて前記第１モードと共に前記第２モードをユーザが選択することなく、処理対象のドキュメントデータの為に、前記第１モードの動作と前記第２モードの動作の両動作を、前記画像処理装置により、実行可能にし、一方、
前記第１モードが前記操作手段を介してユーザにより選択され、且つ、前記自動原稿給送手段により複数枚の原稿を連続給送する場合に、処理対象のドキュメントデータの為に、前記操作手段における前記第２モードのユーザ選択無しに前記第２モードの動作を前記画像処理装置により実行させることなく、前記第１モードの動作を、前記画像処理装置により、実行可能にする、ことを特徴とする制御方法。
【請求項１３】  前記複数の処理モードのうちの前記第１モードが前記操作手段を介してユーザにより選択されたことに応じて、前記第１モードと共に前記第２モードを有効状態にさせる、ことを特徴とする請求項７〜１２の何れかに記載の制御方法。
【請求項１４】  前記操作手段におけるユーザによる前記第１モードの選択及び前記処理対象となるドキュメントの入力形態に応じて、前記第１モードと共に前記第２モードを有効状態にさせる、ことを特徴とする請求項７〜１３の何れかに記載の制御方法。
【請求項１５】  前記処理対象となるドキュメントデータを、前記画像処理装置が有する原稿読取手段を介して入力可能とし、
前記第１モードが前記操作手段を介して選択された場合において、前記原稿読取手段における前記処理対象となるドキュメントのセット状態に応じて、前記第１モードと共に前記第２モードを有効状態にさせる、ことを特徴とする請求項７〜１４の何れかに記載の制御方法。
【請求項１６】  前記第１モードが前記操作手段を介してユーザにより選択された場合において、前記画像処理装置が具備する原稿読取手段の原稿トレイ上に処理対象となるドキュメントが存在するか否かの判断結果に応じて、前記第１モードと共に前記第２モードを有効状態にさせる、ことを特徴とする請求項７〜１５の何れかに記載の制御方法。
【請求項１７】  前記操作手段を介してユーザにより前記第１モードが選択された場合において、前記画像処理装置が具備する原稿読取手段を介して入力されたドキュメントの入力枚数が１枚か否かの判断結果に応じて、前記第１モードと共に前記第２モードを有効状態にさせる、ことを特徴とする請求項７〜１６の何れかに記載の制御方法。
【請求項１８】  前記第１モードを前記画像処理装置により実行させることにより、前記処理対象となるドキュメントデータの印刷処理を実行可能な、前記画像処理装置が有する印刷手段により、頁番号情報の印刷処理を実行させる、ことを特徴とする請求項７〜１７の何れかに記載の制御方法。
【請求項１９】  前記ドキュメントデータに対して前記頁番号情報を付与すべき位置を設定可能にする第１詳細設定、及び、前記頁番号情報のフォントを設定可能にする第２詳細設定、及び、前記頁番号情報のサイズを設定可能にする第３詳細設定、及び、前記頁番号情報の頁開始番号を設定可能にする第４詳細設定、のうちの少なくとも何れかの詳細設定を有する複数の詳細設定のうちの、少なくとも何れかの詳細設定を、前記第１モードを選択する際に、前記操作手段介してユーザにより設定可能とする、ことを特徴とする請求項７〜１８の何れかに記載の制御方法。
【請求項２０】  ユーザによる処理モードの選択を、前記操作手段の表示手段を介して、実行させる、ことを特徴とする請求項７〜１９の何れかに記載の制御方法。
【請求項２１】  ユーザによる処理モードの選択を、前記操作手段の表示手段を介して、実行可能にし、
前記第１モード及び前記第２モードを含む前記複数の処理モードのうちの、有効状態にさせた処理モードをユーザにより確認可能とする表示を、前記表示手段に、実行させる、ことを特徴とする請求項７〜２０の何れかに記載の制御方法。
【請求項２２】  前記第１モード及び前記第２モードを含む前記操作手段を介してユーザにより選択可能な前記複数の処理モードのうちの、前記処理対象となるドキュメントデータに対して有効状態にさせた処理モードを、各処理モード毎に、前記操作手段を介してユーザにより解除可能にする、ことを特徴とする請求項７〜２１の何れかに記載の制御方法。
【請求項２３】  前記第２モードの実行により、互いに独立した複数のドキュメントデータの入力処理を、ユーザからの所定指示が前記操作手段を介してユーザにより入力されるまで、継続させる、ことを特徴とする請求項７〜２２の何れかに記載の制御方法。
【請求項２４】  少なくとも原稿読取手段を具備する前記画像処理装置により処理対象となるドキュメントデータに対して、前記第１モード及び前記第２モードを含む複数の画像処理モードのうちの、有効状態にさせた画像処理モードの処理を、実行させる、ことを特徴とする請求項７〜２３の何れかに記載の制御方法。
【請求項２５】  コピー機能、ファクシミリ機能、プリンタ機能、ボックス機能のうちの少なくとも何れかの機能を有する前記画像処理装置により処理対象となるドキュメントデータに対して、前記第１モード及び前記第２モードを有する前記複数の画像処理モードのうちの、有効状態にさせた画像処理モードの処理を、実行させる、ことを特徴とする請求項７〜２４の何れかに記載の制御方法。
【請求項２６】  前記第１モード及び前記第２モードの処理が施されたドキュメントデータの全てを、一括して、前記画像処理装置が具備する印刷手段によるプリント処理、前記画像処理装置が具備する複数ページのデータを記憶可能な記憶手段による記憶処理、他装置へのデータ転送処理、のうちの、少なくとも何れかの処理で、前記画像処理装置により、出力させる、ことを特徴とする請求項７〜２５の何れかに記載の制御方法。
【請求項２７】  前記画像処理装置は、原稿読取手段と、前記原稿読取手段を介して入力されるドキュメントデータを記憶可能な記憶手段と、前記記憶手段に記憶されたドキュメントデータの出力処理を実行可能な出力手段とを備え、
頁情報が付加されたドキュメントデータの出力処理を前記出力手段により実行させる、前記第１処理モードとしての頁情報出力モードを、前記操作手段を介してユーザにより指定可能にし、
前記操作手段を介してユーザにより読込終了の指示があるまでは、前記原稿読取手段によるドキュメントデータの入力及びドキュメントデータの保存を継続的に実行させる、前記第２処理モードとしての連続読込モードを、前記操作手段を介してユーザにより指定可能にし、
前記頁情報出力モードが前記操作手段を介してユーザにより指定された場合に、所定の条件下で、前記連続読込モードを、自動的に起動し、前記連続読込モードにて前記記憶手段に継続的に記憶させた各ドキュメントデータに対して頁情報が付加されたデータを前記出力手段により出力可能にする、ことを特徴とする請求項７〜２６の何れかに記載の制御方法。
【請求項２８】  前記頁情報出力モードが前記操作手段を介してユーザにより指定され、且つ、前記原稿読取手段の所定の読み取り位置に原稿が載置された場合に、前記連続読込モードを、自動的に起動可能にする、ことを特徴とする請求項２７記載の制御方法。
【請求項２９】  前記画像処理装置は、複数枚のシートを積載可能な原稿トレイ上に載置された原稿を前記原稿読取手段の所定の読み取り位置に搬送可能な原稿搬送手段を有し、
前記頁情報出力モードが前記操作手段を介してユーザにより指定された場合でも、前記原稿搬送手段による原稿搬送枚数が複数枚である場合に、自動的に前記連続読込モードの動作を実行する事は禁止する、ことを特徴とする請求項２７または２８に記載の制御方法。
【請求項３０】  前記画像処理装置は、複数枚のシートを積載可能な原稿トレイ上に載置された原稿を前記原稿読取手段の所定の読み取り位置に搬送可能な原稿搬送手段を有し、
前記頁情報出力モードが前記操作手段を介してユーザにより指定された場合でも、前記原稿搬送手段による原稿搬送枚数が１枚である場合に、自動的に前記連続読込モードの動作を実行可能にする、ことを特徴とする請求項２７〜２９の何れかに記載の制御方法。
【請求項３１】  前記頁情報の位置情報、及び、前記頁情報のサイズ、及び、前記頁情報のフォント情報、及び、前記頁情報の色情報、及び、前記頁情報の頁開始番号、の少なくとも何れかを、前記操作手段を介して、ユーザにより指定可能にする、ことを特徴とする請求項２７〜３０の何れかに記載の制御方法。
【請求項３２】  請求項７〜３１の何れかに記載の制御方法を実行する為の画像処理システム。
【請求項３３】  請求項７〜３１の何れかに記載の制御方法を実行するための制御プログラムを記憶したことを特徴とするコンピュータ読取可能な記憶媒体。
【請求項３４】  請求項７〜３１の何れかに記載の制御方法をコンピュータに実行させる為の制御プログラム。
【手続補正３】
【補正対象書類名】明細書
【補正対象項目名】０００７
【補正方法】変更
【補正の内容】
【０００７】
本発明は、頁印字を行う際のユーザの煩わしい操作を省略でき、操作性を向上させた上述の問題を解決した画像処理装置、画像処理システム及びその制御方法、記憶媒体、及びプログラムを提供することを目的とする。
【手続補正４】
【補正対象書類名】明細書
【補正対象項目名】０００８
【補正方法】変更
【補正の内容】
【０００８】
【課題を解決するための手段】
上記目的を達成するために、本発明では、処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にしたもので、前記複数の処理モードの中から所望の処理モードを、操作手段を介して、ユーザにより選択可能にし、前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせる、ことを特徴とする。
【手続補正５】
【補正対象書類名】明細書
【補正対象項目名】０００９
【補正方法】変更
【補正の内容】
【０００９】
また、本発明では、処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にしたもので、前記複数の処理モードの中から所望の処理モードを、操作手段を介して、ユーザにより選択可能にし、前記複数の処理モードのうちの前記第１モードが前記操作手段を介してユーザにより選択された場合に、前記第１モードを有効状態にさせ、且つ、前記操作手段を介して前記第２モードがユーザにより選択されたか否かに関係なく、自動的に、前記第２モードを有効状態にさせ、一方、前記複数の処理モードのうちの前記第２モードが前記操作手段を介してユーザにより選択された場合は、前記第１モードを自動的に有効状態にさせることなく、前記第２モードを有効状態にさせる、ことを特徴とする。
【手続補正６】
【補正対象書類名】明細書
【補正対象項目名】００１０
【補正方法】変更
【補正の内容】
【００１０】
また、本発明では、処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にしたもので、前記複数の処理モードのうちの何れかの処理モードを、操作手段を介して、ユーザにより選択可能にし、前記複数の処理モードのうちの前記第１モードが前記操作手段を介してユーザにより選択された場合に、前記操作手段を介して前記第２モードがユーザにより選択されたか否かに関係なく、処理対象のドキュメントデータの為に、前記第１モードの動作と前記第２モードの動作の両動作を、前記画像処理装置により、実行可能にする、ことを特徴とする。
【手続補正７】
【補正対象書類名】明細書
【補正対象項目名】００１１
【補正方法】変更
【補正の内容】
【００１１】
また、本発明では、処理対象となるドキュメントデータに対して頁単位に頁番号情報を付与可能にする第１モード、及び、互いに独立した複数のドキュメントデータを１つのジョブのドキュメントデータとして取扱可能にする第２モードを含む、複数の処理モードのうちの、何れかのモードの動作を画像処理装置により実行可能にしたもので、前記複数の処理モードのうちの何れかの処理モードを、操作手段を介して、ユーザにより選択可能にし、前記複数の処理モードのうちの前記第１モードが前記操作手段を介してユーザにより選択された場合に、前記操作手段を介して前記第２モードがユーザにより選択されたか否かに関係なく、処理対象のドキュメントデータの為に、前記第１モードの動作と前記第２モードの動作の両動作を、前記画像処理装置により、実行可能にし、一方、前記複数の処理モードのうちの前記第２モードが前記操作手段を介してユーザにより選択された場合に、処理対象のドキュメントデータの為に、前記操作手段における前記第１モードのユーザ選択無しに前記第１モードの動作が前記画像処理装置により実行されることなく、前記第２モードの動作を、前記画像処理装置により、実行可能にする、ことを特徴とする。
【手続補正８】
【補正対象書類名】明細書
【補正対象項目名】００１２
【補正方法】変更
【補正の内容】
【００１２】
また、本発明では、処理対象となるドキュメントデータの頁番号情報の印刷を印刷手段により実行可能にする第１モードと、複数枚の原稿を連続給送可能な自動原稿給送手段からの原稿の読取処理を実行可能であり且つ原稿台に対してユーザによりセットされた原稿の読取処理も実行可能な原稿読取手段により複数回の読取動作を経て入力された互いに独立した複数のドキュメントデータを１つのドキュメントデータとして処理させる第２モードを含む、複数の処理モードのうちの、何れかのモードの動作を画像処理装置により実行可能にしたもので、前記複数の処理モードのうちの何れかの処理モードを、操作手段を介して、ユーザにより選択可能にし、前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により複数枚の原稿を連続給送する場合、及び、前記第１モードが前記操作手段を介してユーザにより選択され、且つ、前記自動原稿給送手段により原稿を１枚給送する場合、のうちの、前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により原稿を１枚給送する場合の、少なくとも、何れかの場合に、前記操作手段にて前記第１モードと共に前記第２モードをユーザが選択することなく、処理対象のドキュメントデータの為に、前記第１モードの動作と前記第２モードの動作の両動作を、前記画像処理装置により、実行可能にする、ことを特徴とする。
【手続補正９】
【補正対象書類名】明細書
【補正対象項目名】００１３
【補正方法】変更
【補正の内容】
【００１３】
また、本発明では、処理対象となるドキュメントデータの頁番号情報の印刷を印刷手段により実行可能にする第１モードと、複数枚の原稿を連続給送可能な自動原稿給送手段からの原稿の読取処理を実行可能であり且つ原稿台に対してユーザによりセットされた原稿の読取処理も実行可能な原稿読取手段により複数回の読取動作を経て入力された互いに独立した複数のドキュメントデータを１つのドキュメントデータとして処理させる第２モードを含む、複数の処理モードのうちの、何れかのモードの動作を画像処理装置により実行可能にしたもので、前記複数の処理モードのうちの何れかの処理モードを、操作手段を介して、ユーザにより選択可能にし、前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により複数枚の原稿を連続給送する場合、及び、前記第１モードが前記操作手段を介してユーザにより選択され、且つ、前記自動原稿給送手段により原稿を１枚給送する場合、のうちの、前記第１モードが前記操作手段を介してユーザにより選択され、且つ、前記原稿台に対してユーザによりセットされた原稿の読取処理を前記原稿読取手段により実行する場合、及び、前記第１モードが前記操作手段を介してユーザにより選択され、且つ、前記自動原稿給送手段により原稿を１枚給送する場合の、少なくとも、何れかの場合に、前記操作手段にて前記第１モードと共に前記第２モードをユーザが選択することなく、処理対象のドキュメントデータの為に、前記第１モードの動作と前記第２モードの動作の両動作を、前記画像処理装置により、実行可能にし、一方、前記第１モードが前記操作手段を介してユーザにより選択され、且つ、前記自動原稿給送手段により複数枚の原稿を連続給送する場合に、処理対象のドキュメントデータの為に、前記操作手段における前記第２モードのユーザ選択無しに前記第２モードの動作を前記画像処理装置により実行させることなく、前記第１モードの動作を、前記画像処理装置により、実行可能にする、ことを特徴とする。
【手続補正１０】
【補正対象書類名】明細書
【補正対象項目名】００１４
【補正方法】削除
【補正の内容】